(57)【要約】  本開示は、サーチスペースにおけるチャネル推定数の割り当て方法及び端末装置を開示し、該方法は、端末装置の目標単位サーチスペースに必要なチャネル推定数が、第１のチャネル推定数を超える場合には、前記目標単位サーチスペースに対応するチャネル推定数を再割り当てすることを含み、第１のチャネル推定数は、ネットワーク側装置が前記目標単位サーチスペースに配置したチャネル推定数又は端末装置がサポートしている最大チャネル推定数であり、再割り当てを行った後、目標単位サーチスペースの第２のチャネル推定数の和は、前記第１のチャネル推定数以下である。【選択図】図１
2021513298.tif 000002
【特許請求の範囲】
【請求項１】
端末装置の目標単位サーチスペースに必要なチャネル推定数が、第１のチャネル推定数を超える場合には、前記目標単位サーチスペースに対応するチャネル推定数を再割り当てすることを含み、
第１のチャネル推定数は、ネットワーク側装置が前記目標単位サーチスペースに配置したチャネル推定数又は端末装置がサポートしている最大チャネル推定数であり、再割り当てを行った後、目標単位サーチスペースの第２のチャネル推定数の和は、前記第１のチャネル推定数以下である、サーチスペースにおけるチャネル推定数の割り当て方法。
【請求項２】
前記目標単位サーチスペースに対応するチャネル推定数を再割り当てすることは、
所定パラメータに基づいて前記目標単位サーチスペースに対応するチャネル推定数を再割り当てすることを含み、
前記所定パラメータは、
ＰＤＣＣＨ候補のアグリゲーションレベル、ＰＤＣＣＨ候補のスケジューリングタイプ、ＰＤＣＣＨ候補のサービスタイプ、スケジューリングされるセル又はキャリアタイプ、スケジューリングされるセル又はキャリアのサブキャリア間隔、サーチスペースにおけるＰＤＣＣＨ候補によって搬送されるＤＣＩフォーマット、サーチスペースのＰＤＣＣＨ候補数のうちの少なくとも１つを含む、請求項１に記載のサーチスペースにおけるチャネル推定数の割り当て方法。
【請求項３】
所定パラメータに基づいて前記目標単位サーチスペースに対応するチャネル推定数を再割り当てすることは、
前記所定パラメータに基づいて、前記目標単位サーチスペースのＰＤＣＣＨ候補に対して優先順位付けを行うことと、
前記目標単位サーチスペースのチャネル推定数が前記第１のチャネル推定数以下となるまで、優先順位が低いＰＤＣＣＨ候補を廃棄することとを含む、請求項２に記載のサーチスペースにおけるチャネル推定数の割り当て方法。
【請求項４】
所定パラメータに基づいて前記目標単位サーチスペースに対応するチャネル推定数を再割り当てすることは、
アグリゲーションレベルに応じて、前記目標単位サーチスペースのＰＤＣＣＨ候補を複数のＰＤＣＣＨ候補セットに分割することと、
ＰＤＣＣＨ候補に対応するＣＣＥ番号に基づいて、各ＰＤＣＣＨ候補セットにおけるＰＤＣＣＨ候補の廃棄順序を決定することと、
前記目標単位サーチスペースのチャネル推定数が前記第１のチャネル推定数以下となるまで、複数のＰＤＣＣＨ候補セットをポーリングする方式で、複数のＰＤＣＣＨ候補セットから、廃棄順位が高いＰＤＣＣＨ候補を１つずつ廃棄することと、を含む、請求項１に記載のサーチスペースにおけるチャネル推定数の割り当て方法。
【請求項５】
前記目標単位サーチスペースに対応するチャネル推定数を再割り当てすることは、
前記目標単位サーチスペースにおけるアグリゲーションレベル毎のＰＤＣＣＨ候補に対応するＣＣＥを決定することと、
第１のタイプのＰＤＣＣＨ候補に対応するＣＣＥが前記目標単位サーチスペースに関連付けられた制御リソースセットＣＯＲＥＳＥＴにおける他のＰＤＣＣＨ候補に対応するＣＣＥと重ならず、第２のタイプのＰＤＣＣＨ候補がより低いアグリゲーションレベルのＰＤＣＣＨ候補とＣＣＥを共有し、第３のタイプのＰＤＣＣＨ候補がより高いグリゲーションレベルのＰＤＣＣＨ候補とＣＣＥを共有するように、前記目標単位サーチスペースにおけるアグリゲーションレベル毎のＰＤＣＣＨ候補を分類することと、
サポート超過チャネル推定数がゼロ以下となるまで、
前記目標単位サーチスペースにおける各ＰＤＣＣＨ候補の等価チャネル推定数を決定し、かつ前記目標単位サーチスペースが実際に必要とするチャネル推定数から前記第１のチャネル推定数を減算するサポート超過チャネル推定数を決定するステップと、
前記目標単位サーチスペースの第１のタイプ又は第２のタイプのＰＤＣＣＨ候補から目標ＰＤＣＣＨ候補を選択し廃棄するステップと、
前記サポート超過チャネル推定数から前記目標ＰＤＣＣＨ候補に対応する等価チャネル推定数を減算して、調整後の前記サポート超過チャネル推定数とするステップと、を繰り返し実行することにより、サポート超過チャネル推定数を調整することと、を含む、請求項２に記載のサーチスペースにおけるチャネル推定数の割り当て方法。
【請求項６】
前記目標単位サーチスペースにおける各ＰＤＣＣＨ候補の等価チャネル推定数を決定することは、
第１のタイプの第１のＰＤＣＣＨ候補のアグリゲーションレベルを前記第１のＰＤＣＣＨ候補の等価チャネル推定数と決定することと、
第２のタイプの第２のＰＤＣＣＨ候補に割り当てられるＣＣＥのうち、前記目標単位サーチスペースに関連付けられたＣＯＲＥＳＥＴの他のＰＤＣＣＨ候補と重ならないＣＣＥ数を前記第２のＰＤＣＣＨ候補の等価チャネル推定数と決定することと、
第３のタイプの第３のＰＤＣＣＨ候補の等価チャネル推定数を０と決定することと、を含む、請求項５に記載のサーチスペースにおけるチャネル推定数の割り当て方法。
【請求項７】
前記目標単位サーチスペースは、１つのサーチスペースを含み、或いは、
前記目標単位サーチスペースは、複数のサーチスペースを含む１つのサーチスペース群を含み、或いは、
前記目標単位サーチスペースは、１つのＣＯＲＥＳＥＴに関連付けられた全てのサーチスペースを含む、請求項１〜６のいずれか１項に記載のサーチスペースにおけるチャネル推定数の割り当て方法。
【請求項８】
端末装置の目標単位サーチスペースに必要なチャネル推定数が、第１のチャネル推定数を超える場合には、前記目標単位サーチスペースに対応するチャネル推定数を再割り当てする再割り当てモジュールを含み、
第１のチャネル推定数は、ネットワーク側装置が前記目標単位サーチスペースに配置したチャネル推定数又は端末装置がサポートしている最大チャネル推定数であり、
再割り当てを行った後、目標単位サーチスペースの第２のチャネル推定数の和は、前記第１のチャネル推定数以下である、端末装置。
【請求項９】
前記再割り当てモジュールは、
所定パラメータに基づいて前記目標単位サーチスペースに対応するチャネル推定数を再割り当てし、
前記所定パラメータは、
ＰＤＣＣＨ候補のアグリゲーションレベル、ＰＤＣＣＨ候補のスケジューリングタイプ、ＰＤＣＣＨ候補のサービスタイプ、スケジューリングされるセル又はキャリアタイプ、スケジューリングされるセル又はキャリアのサブキャリア間隔、サーチスペースにおけるＰＤＣＣＨ候補によって搬送されるＤＣＩフォーマット、サーチスペースのＰＤＣＣＨ候補数のうちの少なくとも１つを含む、請求項８に記載の端末装置。
【請求項１０】
前記再割り当てモジュールは、
前記所定パラメータに基づいて、前記目標単位サーチスペースのＰＤＣＣＨ候補に対して優先順位付けを行う第１の順位付けサブモジュールと、
前記目標単位サーチスペースのチャネル推定数が前記第１のチャネル推定数以下となるまで、優先順位が低いＰＤＣＣＨ候補を廃棄する第１の割り当てサブモジュールとを含む、請求項９に記載の端末装置。
【請求項１１】
前記再割り当てモジュールは、
アグリゲーションレベルに応じて、前記目標単位サーチスペースのＰＤＣＣＨ候補を複数のＰＤＣＣＨ候補セットに分割する分割サブモジュールと、
ＰＤＣＣＨ候補に対応する制御チャネル要素ＣＣＥ番号に基づいて、各ＰＤＣＣＨ候補セットにおけるＰＤＣＣＨ候補の廃棄順序を決定する第１の決定サブモジュールと、
前記目標単位サーチスペースのチャネル推定数が前記第１のチャネル推定数以下となるまで、複数のＰＤＣＣＨ候補セットをポーリングする方式で、複数のＰＤＣＣＨ候補セットから、廃棄順位が高いＰＤＣＣＨ候補を１つずつ廃棄する再割り当てサブモジュールと、を含む、請求項８に記載の端末装置。
【請求項１２】
前記再割り当てモジュールは、
前記目標単位サーチスペースにおけるアグリゲーションレベル毎のＰＤＣＣＨ候補に対応するＣＣＥを決定する第２の決定サブモジュールと、
第１のタイプのＰＤＣＣＨ候補に対応するＣＣＥが前記目標単位サーチスペースに関連付けられた制御リソースセットＣＯＲＥＳＥＴにおける他のＰＤＣＣＨ候補に対応するＣＣＥと重ならず、第２のタイプのＰＤＣＣＨ候補がより低いアグリゲーションレベルのＰＤＣＣＨ候補とＣＣＥを共有し、第３のタイプのＰＤＣＣＨ候補がより高いグリゲーションレベルのＰＤＣＣＨ候補とＣＣＥを共有するように、前記目標単位サーチスペースにおけるアグリゲーションレベル毎のＰＤＣＣＨ候補を分類する分類サブモジュールと、
前記目標単位サーチスペースにおける各ＰＤＣＣＨ候補の等価チャネル推定数を決定し、かつ前記目標単位サーチスペースが実際に必要とするチャネル推定数から前記第１のチャネル推定数を減算するサポート超過チャネル推定数を決定する第３の決定サブモジュールと、
前記目標単位サーチスペースの第１のタイプ又は第２のタイプのＰＤＣＣＨ候補から目標ＰＤＣＣＨ候補を選択し廃棄する再割り当てサブモジュールと、
前記サポート超過チャネル推定数から前記目標ＰＤＣＣＨ候補に対応する等価チャネル推定数を減算して、調整後の前記サポート超過チャネル推定数とする調整サブモジュールと、
サポート超過チャネル推定数がゼロ以下となるまで、第３の決定サブモジュール、再割り当てサブモジュール及び調整サブモジュールを繰り返して呼び出して、サポート超過チャネル推定数を調整する第３の割り当てサブモジュールと、を含む、請求項８に記載の端末装置。
【請求項１３】
第３の決定サブモジュールは、
第１のタイプの第１のＰＤＣＣＨ候補のアグリゲーションレベルを前記第１のＰＤＣＣＨ候補の等価チャネル推定数と決定し、
第２のタイプの第２のＰＤＣＣＨ候補に割り当てられるＣＣＥのうち、前記目標単位サーチスペースに関連付けられたＣＯＲＥＳＥＴの他のＰＤＣＣＨ候補と重ならないＣＣＥ数を前記第２のＰＤＣＣＨ候補の等価チャネル推定数と決定し、
第３のタイプの第３のＰＤＣＣＨ候補の等価チャネル推定数を０と決定する、請求項１２に記載の端末装置。
【請求項１４】
前記目標単位サーチスペースは、１つのサーチスペースを含み、或いは、
前記目標単位サーチスペースは、複数のサーチスペースを含む１つのサーチスペース群を含み、或いは、
前記目標単位サーチスペースは、１つのＣＯＲＥＳＥＴに関連付けられた全てのサーチスペースを含む、請求項８〜１３のいずれか１項に記載の端末装置。
【請求項１５】
メモリと、プロセッサと、前記メモリに記憶されて前記プロセッサ上で動作可能で、前記プロセッサによって実行されると、請求項１〜７のいずれか１項に記載のサーチスペースにおけるチャネル推定数の割り当て方法のステップを実現するプログラムとを含む、端末装置。
【請求項１６】
プロセッサによって実行されると、請求項１〜７のいずれか１項に記載のサーチスペースにおけるチャネル推定数の割り当て方法のステップを実現するプログラムが記憶されているコンピュータ読み取り可能な記憶媒体。
【発明の詳細な説明】
【技術分野】
【０００１】
本願は、２０１８年２月１２日に提出された中国特許出願第２０１８１０１４７５６１．２号の優先権を主張するものであり、その全ての内容は参照により本願に組み込まれるものとする。
本開示は、通信の分野／端末の分野に関し、特に、サーチスペースにおけるチャネル推定数の割り当て方法及び端末装置に関する。
【背景技術】
【０００２】
ロングタームエボリューション（Ｌｏｎｇ  Ｔｅｒｍ  Ｅｖｏｌｕｔｉｏｎ、ＬＴＥ）システムにおいて、ユーザ機器（Ｕｓｅｒ  Ｅｑｕｉｐｍｅｎｔ、ＵＥ）は、１つの物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）のみを監視する。該ＰＤＣＣＨ内において、ＵＥは、固定なサーチスペース内のＰＤＣＣＨ候補をブラインド検出し、ダウンリンク制御情報（ｄｏｗｎｌｉｎｋ  ｃｏｎｔｒｏｌ  ｉｎｆｏｒｍａｔｉｏｎ、ＤＣＩ）を復調することを試み、かつブラインド検出されたＰＤＣＣＨ候補の総数が決定されたものである。ＰＤＣＣＨは、セル固有参照信号（Ｃｅｌｌ−ｓｐｅｃｉｆｉｃ  ｒｅｆｅｒｅｎｃｅ  ｓｉｇｎａｌ、ＣＲＳ）を用いてチャネル推定を行う。ＣＲＳがセル固有であるため、ＵＥのチャネル推定の複雑度は、ブラインド検出数に応じて線形的に増加しない。
【０００３】
第５世代（５ｔｈ  Ｇｅｎｅｒａｔｉｏｎ、５Ｇ）のＮＲ（Ｎｅｗ  Ｒａｄｉｏ）システムは、ＵＥに対して複数の制御リソースセット（ｃｏｎｔｒｏｌ  ｒｅｓｏｕｒｃｅ  ｓｅｔ、ＣＯＲＥＳＥＴ）及び複数のサーチスペースを配置し、サーチスペース毎にブラインド検出数を柔軟に配置することをサポートし、ＣＯＲＥＳＥＴとサーチスペースとを柔軟に関連付けることができる。一方、ＮＲシステムのＰＤＣＣＨは、ＵＥのチャネル推定を行うように、ＵＥ固有の復調参照信号（ＵＲＳ）をサポートする。また、ＵＥの実現の複雑度を低減するために、ＮＲシステムは、ＵＥの単位時間当たりの最大チャネル推定数、即ち、全てのサーチスペースでのチャネル推定の和が該上限を超えないことをさらに規定している。
【０００４】
ＵＥのチャネル推定は、制御チャネル要素（Ｃｏｎｔｒｏｌ  Ｃｈａｎｎｅｌ  Ｅｌｅｍｅｎｔ、ＣＣＥ）単位で、同じＣＣＥが割り当てられたＰＤＣＣＨ候補が、チャネル推定結果を共有することができる。ＮＲシステムにおいて、サーチスペース内の異なるアグリゲーションレベル（ａｇｇｒｅｇａｔｉｏｎｌｅｖｅｌ、ＡＬ）のＰＤＣＣＨ候補の位置（ＰＤＣＣＨ候補に割り当てられたＣＣＥに等価な番号）は、擬似ランダム関数（ハッシュ関数）により決定される。このため、ハッシュ関数のハッシュ結果に応じて、異なるＡＬのＰＤＣＣＨ候補に割り当てられるＣＣＥが同じであっても異なってもよい。このため、異なる時点でサーチスペースをブラインド検出することに必要なチャネル推定総数も異なり、ＵＥがサポートしている最大チャネル推定数を超える可能性がある。
【０００５】
最悪の場合（即ち、異なるＡＬの候補に割り当てられたＣＣＥが永続的に重ならないと仮定する）に必要なチャネル推定数に応じてサーチスペースを配置すれば、ＵＥがサポートしている最大チャネル推定数を超えないことを保証できるが、許可される配置できるブラインド検出数を大幅に低下させることで、システムは、ＵＥがサポートしている最大チャネル推定数よりも遥かに小さいものしか使用できないことになる。このような割り当て方式は、ＵＥの能力を十分に利用できず、システムの制御リソース利用率を大幅に低下させ、制御チャネル割り当てのブロッキング確率を向上させる。
【発明の概要】
【発明が解決しようとする課題】
【０００６】
本開示の実施例は、端末装置の処理能力を十分に利用し、制御リソースの割り当てを最大限にし、制御チャネル割り当てのブロッキング確率を低下させるとともに、端末装置の最大チャネル推定数を超えないことを保証するサーチスペースにおけるチャネル推定数の割り当て方法及び端末装置を提供することを目的とする。
【課題を解決するための手段】
【０００７】
第１の態様では、本開示の実施例は、端末装置に適用されるサーチスペースにおけるチャネル推定数の割り当て方法であって、
端末装置の目標単位サーチスペースに必要なチャネル推定数が、第１のチャネル推定数を超える場合には、該目標単位サーチスペースに対応するチャネル推定数を再割り当てすることを含み、
第１のチャネル推定数が、ネットワーク側装置が該目標単位サーチスペースに配置したチャネル推定数又は端末装置がサポートしている最大チャネル推定数であり、再割り当てを行った後、目標単位サーチスペースの第２のチャネル推定数の和が該第１のチャネル推定数以下である、サーチスペースにおけるチャネル推定数の割り当て方法を提供する。
【０００８】
第２の態様では、本開示の実施例は、
端末装置の目標単位サーチスペースに必要なチャネル推定数が、第１のチャネル推定数を超える場合には、該目標単位サーチスペースに対応するチャネル推定数を再割り当てる再割り当てモジュールを含み、
第１のチャネル推定数が、ネットワーク側装置が該目標単位サーチスペースに配置したチャネル推定数又は端末装置がサポートしている最大チャネル推定数であり、
再割り当てを行った後、目標単位サーチスペースの第２のチャネル推定数の和が該第１のチャネル推定数以下である、端末装置を提供する。
【０００９】
第３の態様では、本開示の実施例は、プロセッサと、メモリと、前記メモリに記憶されて前記プロセッサ上で動作可能で、前記プロセッサによって実行されると、第１の態様に記載の方法のステップを実現するプログラムとを含む、端末装置を提供する。
【００１０】
第４の態様では、プロセッサによって実行されると、第１の態様に記載の方法のステップを実現するプログラムが記憶されているコンピュータ読み取り可能な記憶媒体を提供する。
【発明の効果】
【００１１】
本開示の実施例に係る方法は、
一方で、端末装置の目標単位サーチスペースに必要なチャネル推定数が、ネットワーク側装置が該目標単位サーチスペースに配置したチャネル推定数又はＵＥがサポートしている最大チャネル推定数を超える場合には、該目標単位サーチスペースに対応するチャネル推定数を再割り当てすることにより、端末装置の処理能力を十分に利用し、制御リソース割り当てを最大化し、制御チャネル割り当てのブロッキング確率を低下させるとともに、ネットワーク側装置が配置したチャネル推定数を超えないことを保証できるということのうちの少なくとも１つの有益な効果を達成することができる。
【００１２】
ここで説明される図面は、本開示への理解を深めるためのものであり、本開示の一部を構成し、本開示の例示的な実施例及びその説明は、本開示を説明するものであり、本開示を限定するものではない。
【図面の簡単な説明】
【００１３】
【図１】本開示の一実施例に係るサーチスペースにおけるチャネル推定数の割り当て方法のフローチャートである。
【図２】本開示の一実施例に係る異なるアグリゲーションレベルのＰＤＣＣＨ候補の割り当てシナリオの概略図である。
【図３】本開示の一実施例に係る端末装置の概略構成図である。
【図４】本開示の一実施例に係る再割り当てモジュールの概略構成図である。
【図５】本開示の別の実施例に係る再割り当てモジュールの概略構成図である。
【図６】本開示のさらなる実施例に係る再割り当てモジュールの概略構成図である。
【図７】本開示のさらなる実施例に係る端末装置の概略構成図である。
【発明を実施するための形態】
【００１４】
以下、本開示の実施例における図面を参照しながら、本開示の実施例における技術手段を明確かつ完全的に記載する。明らかに、記載される実施例は、本開示の実施例の一部であり、全てではない。本開示の実施例に基づいて、当業者が創造的な労働をしない前提で得られた他の全ての実施例は、いずれも本開示の保護範囲に属するものである。
【００１５】
本開示の技術手段は、様々な通信システム、例えば、グローバル移動通信システム（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）／アドバンストロングタームエボリューション（ＬＴＥ−Ａ、Ｌｏｎｇ  Ｔｅｒｍ  Ｅｖｏｌｕｔｉｏｎ  ａｄｖａｎｃｅｄ）、ＮＲ（Ｎｅｗ  Ｒａｄｉｏ）等に適用することができる。
ユーザ装置（ＵＥ、Ｕｓｅｒ  Ｅｑｕｉｐｍｅｎｔ）は、端末装置（Ｍｏｂｉｌｅ  Ｔｅｒｍｉｎａｌ）、移動ユーザ装置等とも呼ばれ、無線アクセスネットワーク（例えば、ＲＡＮ、Ｒａｄｉｏ  Ａｃｃｅｓｓ  Ｎｅｔｗｏｒｋ）により１つ又は複数のコアネットワークと通信することができ、ユーザ装置は、携帯電話（又は「セル」電話と呼ばれる）のような端末装置と、端末装置を有するコンピュータであってもよく、例えば、携帯式、ポケット式、手持ち式、コンピュータ内蔵又は車載の移動装置であってもよく、それらが無線アクセスネットワークと言語及び／又はデータを交換する。
【００１６】
基地局は、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、さらにＬＴＥにおける発展型基地局（ｅＮＢ又はｅ−ＮｏｄｅＢ、ｅｖｏｌｖｅｄ  Ｎｏｄｅ  Ｂ）及び５Ｇ基地局（ｇＮＢ）であってもよく、本開示において限定されないが、説明しやすいために、下記実施例は、ｇＮＢを例にして説明する。
【００１７】
以下、図面を参照しながら、本開示の各実施例に係る技術手段を詳細に説明する。
【００１８】
図１は、本開示の一実施例に係るサーチスペースにおけるチャネル推定数の割り当て方法のフローチャートである。図１の方法は、端末装置に適用できる。該方法は、
末装置の目標単位サーチスペースに必要なチャネル推定数が、第１のチャネル推定数を超える場合には、該目標単位サーチスペースに対応するチャネル推定数を再割り当てするステップＳ１０１を含み、第１のチャネル推定数は、ネットワーク側装置が該目標単位サーチスペースに配置したチャネル推定数又は端末装置がサポートしている最大チャネル推定数であり、再割り当てを行った後、目標単位サーチスペースの第２のチャネル推定数の和は、該第１のチャネル推定数以下である。
【００１９】
本開示の実施例では、端末装置の目標単位サーチスペースに必要なチャネル推定数が、ネットワーク側装置が該目標単位サーチスペースに配置したチャネル推定数又はＵＥがサポートしている最大チャネル推定数を超える場合には、該目標単位サーチスペースに対応するチャネル推定数を再割り当てすることにより、端末装置の処理能力を十分に利用し、制御リソース割り当てを最大化し、制御チャネル割り当てのブロッキング確率を低下させるとともに、ネットワーク側装置が配置したチャネル推定数を超えないことを保証できる。
【００２０】
当然のことながら、本開示では、第１のチャネル推定数と最大チャネル推定数を比較する場合、同一の時間単位内において比較することを理解されたい。例えば、第１のチャネル推定数とは、１つの時間単位内の端末装置の第１のチャネル推定数を指す。端末装置がサポートしている最大チャネル推定数とは、１つの時間単位内において端末装置がサポートしている最大チャネル推定数を指す。ここでの時間単位は、サブフレーム、スロット又はシンボル等であってよく、本開示の実施例は、これに限定されない。
【００２１】
さらに、ステップＳ１０１は、具体的には、
所定パラメータに基づいて、該目標単位サーチスペースに対応するチャネル推定数を再割り当てするように実現されてよく、
該所定パラメータは、
ＰＤＣＣＨ候補のアグリゲーションレベル、ＰＤＣＣＨ候補のスケジューリングタイプ、ＰＤＣＣＨ候補のサービスタイプ、スケジューリングされるセル又はキャリアタイプ、スケジューリングされるセル又はキャリアのサブキャリア間隔、サーチスペースにおけるＰＤＣＣＨ候補によって搬送されるＤＣＩフォーマット、サーチスペースのＰＤＣＣＨ候補数のうちの少なくとも１つを含む。
【００２２】
好ましくは、いくつかの実施例では、所定パラメータに基づいて、該目標単位サーチスペースに対応するチャネル推定数を再割り当てすることは、
該所定パラメータに基づいて、該目標単位サーチスペースのＰＤＣＣＨ候補に対して優先順位付けを行うことと、
該目標単位サーチスペースのチャネル推定数が該第１のチャネル推定数以下となるまで、優先順位が低いＰＤＣＣＨ候補を廃棄することとを含んでよい。
【００２３】
例えば、所定パラメータは、スケジューリングされるセルタイプを含むと仮定する。ネットワーク側装置がＵＥに、プライマリセル及びセカンダリセルを同時にスケジューリングするＵＥ固有のサーチスペースを配置することを仮定する。
【００２４】
ＵＥは、プライマリセルのＰＤＣＣＨ候補の優先順位がセカンダリセルのＰＤＣＣＨ候補の優先順位より高いことを決定することができる。
【００２５】
ある時刻で、ＵＥによって該サーチスペースに割り当てられたチャネル推定数が、該サーチスペース内の全てのＰＤＣＣＨ候補をブラインド検出することに必要なチャネル推定数より少ない場合には、ＵＥは、プライマリセルのＰＤＣＣＨ候補をスケジューリングするために必要なチャネル推定数を優先的に割り当てて、残りのチャネル推定数を、セカンダリセルのＰＤＣＣＨ候補をスケジューリングするために割り当てることができる。
【００２６】
好ましくは、いくつかの実施例では、ステップＳ１０１は、具体的には、
アグリゲーションレベルに応じて、該目標単位サーチスペースのＰＤＣＣＨ候補を複数のＰＤＣＣＨ候補セットに分割し、
ＰＤＣＣＨ候補に対応する制御チャネル要素ＣＣＥ番号に基づいて、各ＰＤＣＣＨ候補セットにおけるＰＤＣＣＨ候補の廃棄順序を決定し、
該目標単位サーチスペースのチャネル推定数が該第１のチャネル推定数以下となるまで、複数のＰＤＣＣＨ候補セットをポーリングする方式で、複数のＰＤＣＣＨ候補セットから、廃棄順位が高いＰＤＣＣＨ候補を１つずつ廃棄するように実現されてよい。
【００２７】
例えば、ネットワークがＵＥにＵＥ固有のサーチスペースを配置し、ＡＬ−４のブラインド検出回数が２で、ＡＬ−２のブラインド検出回数が４で、ＡＬ−１のブラインド検出回数が４であると仮定する。
【００２８】
ある時刻で、ＵＥによって該サーチスペースに割り当てられた最大チャネル推定数が、該サーチスペース内の全てのＰＤＣＣＨ候補をブラインド検出することに必要なチャネル推定数より少ない場合には、ＵＥは、ＡＬの小さい順及びＣＣＥ番号の小さい順でＰＤＣＣＨ候補を選択して廃棄することができる。例えば、まず、ＣＣＥ番号が最小の１つのＡＬ−１のＰＤＣＣＨ候補を廃棄し、次にＣＣＥ番号が最小の１つのＡＬ−２のＰＤＣＣＨ候補を廃棄し、このように類推して、より大きなＡＬのＰＤＣＣＨ候補がなければ、ＡＬ−１から改めて開始する。必要なチャネル推定数が、該サーチスペースに割り当てられた最大チャネル推定数より小さいまで停止する。
【００２９】
好ましくは、いくつかの実施例では、ステップＳ１０１は、具体的には、
該目標単位サーチスペースにおけるアグリゲーションレベル毎のＰＤＣＣＨ候補に対応するＣＣＥを決定し、
第１のタイプのＰＤＣＣＨ候補に対応するＣＣＥが該目標単位サーチスペースに関連付けられた制御リソースセットＣＯＲＥＳＥＴにおける他のＰＤＣＣＨ候補に対応するＣＣＥと重ならず、第２のタイプのＰＤＣＣＨ候補がより低いアグリゲーションレベルのＰＤＣＣＨ候補とＣＣＥを共有し、第３のタイプのＰＤＣＣＨ候補がより高いグリゲーションレベルのＰＤＣＣＨ候補とＣＣＥを共有するように、該目標単位サーチスペースにおけるアグリゲーションレベル毎のＰＤＣＣＨ候補を分類し、
サポート超過チャネル推定数がゼロ以下となるまで、
該目標単位サーチスペースにおける各ＰＤＣＣＨ候補の等価チャネル推定数を決定し、かつ該目標単位サーチスペースが実際に必要とするチャネル推定数から該第１のチャネル推定数を減算するサポート超過チャネル推定数を決定するステップと、
該目標単位サーチスペースの第１のタイプ又は第２のタイプのＰＤＣＣＨ候補から目標ＰＤＣＣＨ候補を選択し廃棄するステップと、
該サポート超過チャネル推定数から該目標ＰＤＣＣＨ候補に対応する等価チャネル推定数を減算して、調整後の該サポート超過チャネル推定数とするステップと、を繰り返し実行することにより、サポート超過チャネル推定数を調整するように実現されてよい。
【００３０】
なお、本開示の実施例では、分類されたＰＤＣＣＨ候補を第１のタイプ、第２のタイプ及び第３のタイプの３つのタイプに分類することができる。当然のことながら、より多くのタイプのＰＤＣＣＨ候補に分類する方式も排除されない。
【００３１】
なお、本開示の実施例では、１つのＣＯＲＥＳＥＴに１つ以上のサーチスペースが存在する可能性があり、この場合、該ＣＯＲＥＳＥＴは、該１つ以上のサーチスペースに関連付けられたＣＯＲＥＳＥＴである。
【００３２】
なお、ＰＤＣＣＨ候補に対応するＣＣＥは、ＰＤＣＣＨ候補に割り当てられるか、又は占められるＣＣＥを含んでよい。
【００３３】
当然のことながら、上記第１のタイプのＰＤＣＣＨ候補は、
第１のタイプのＰＤＣＣＨ候補に対応するＣＣＥが該目標単位サーチスペースの他のＰＤＣＣＨ候補に対応するＣＣＥと重ならないという条件を満たすように変更されてよいことを理解されたい。
【００３４】
さらに、該目標単位サーチスペースにおける各ＰＤＣＣＨ候補の等価チャネル推定数を決定することは、
第１のタイプの第１のＰＤＣＣＨ候補のアグリゲーションレベルを該第１のＰＤＣＣＨ候補の等価チャネル推定数と決定することと、
第２のタイプの第２のＰＤＣＣＨ候補に割り当てられるＣＣＥのうち、該目標単位サーチスペースに関連付けられたＣＯＲＥＳＥＴの他のＰＤＣＣＨ候補と重ならないＣＣＥ数を該第２のＰＤＣＣＨ候補の等価チャネル推定数と決定することと、
第３のタイプの第３のＰＤＣＣＨ候補の等価チャネル推定数を０と決定することと、を含む。
【００３５】
当然のことながら、ＰＤＣＣＨ候補の等価チャネル推定数を決定する他の方式が存在する可能性があり、本開示の実施例はここでは一々列挙しない。
【００３６】
なお、該目標単位サーチスペースの第１のタイプ又は第２のタイプのＰＤＣＣＨ候補から目標ＰＤＣＣＨ候補を選択する方式は、予め定義されたもの、例えば、プロトコルで規定されたもの、又はネットワーク側で配置されたものであってよく、本開示の実施例は、これに限定されない。
【００３７】
例えば、該目標単位サーチスペースの第１のタイプ又は第２のタイプのＰＤＣＣＨ候補から目標ＰＤＣＣＨ候補を選択し廃棄することは、
該目標単位サーチスペースの第１のタイプ又は第２のタイプのＰＤＣＣＨ候補から目標ＰＤＣＣＨ候補を交互に選択し廃棄すること、
或いは、該目標単位サーチスペースの第１のタイプのＰＤＣＣＨ候補から目標ＰＤＣＣＨ候補を選択し廃棄し、該目標単位サーチスペースの第１のタイプのＰＤＣＣＨ候補が空である場合、該目標単位サーチスペースの第２のタイプのＰＤＣＣＨ候補から目標ＰＤＣＣＨ候補を選択し廃棄すること、
或いは、該目標単位サーチスペースの第２のタイプのＰＤＣＣＨ候補から目標ＰＤＣＣＨ候補を選択し廃棄し、該目標単位サーチスペースの第１のタイプのＰＤＣＣＨ候補が空である場合、該目標単位サーチスペースの第１のタイプのＰＤＣＣＨ候補から目標ＰＤＣＣＨ候補を選択し廃棄すること、
或いは、該目標単位サーチスペースの第１のタイプ又は第２のタイプのＰＤＣＣＨ候補から、等価チャネル推定数が該サポート超過チャネル推定数に最も近いＰＤＣＣＨ候補を該目標ＰＤＣＣＨ候補として優先的に選択することを含んでよい。
【００３８】
当然のことながら、該サポート超過チャネル推定数に最も近いＰＤＣＣＨ候補が複数存在する場合、アグリゲーションレベルの小さい順に該複数の該サポート超過チャネル推定数に最も近いＰＤＣＣＨ候補から該目標ＰＤＣＣＨ候補を選択し、該サポート超過チャネル推定数に最も近いＰＤＣＣＨ候補にはアグリゲーションレベルが最も低い複数のＰＤＣＣＨ候補が存在する場合、ＰＤＣＣＨ候補に対応するＣＣＥ番号の順序に応じて、該アグリゲーションレベルが最も低い複数のＰＤＣＣＨ候補から、ＣＣＥ番号が最大又は最小のＰＤＣＣＨ候補を該目標ＰＤＣＣＨ候補として選択することを理解されたい。
【００３９】
理解を容易にするために、以下、図２を参照しながら例を挙げて説明する。図２は、本開示の別の実施例に係る異なるアグリゲーションレベルのＰＤＣＣＨ候補の割り当てシナリオの概略図である。
【００４０】
ステップ１では、サーチスペースのハッシュ関数に基づいて、ある時刻でＡＬ毎のブラインド検出候補に割り当てられた（又は占められる）ＣＣＥを図２に示すように決定すると仮定する。
【００４１】
ステップ２では、ブラインド検出候補を３つのタイプに分け、ブラインド検出候補３、６が第１のタイプで、ブラインド検出候補１が第２のタイプで、ブラインド検出候補２、４、５が第３のタイプである。
【００４２】
ステップ３では、各ブラインド検出候補の等価チャネル推定数（ＥＣ）を計算し、ブラインド検出候補３のＥＣ＝２、ブラインド検出候補６のＥＣ＝１、ブラインド検出候補１のＥＣ＝１、ブラインド検出候補２、４、５のＥＣ＝０である。
【００４３】
ステップ４では、サポート超過チャネル推定数（Ｘ）に基づいて、ブラインド検出候補を選択し廃棄する。Ｘ＝２であれば、ブラインド検出候補３を選択し、Ｘ＝１であれば、ブラインド検出候補６又は１を選択する。低いＡＬのブラインド検出候補、即ちブラインド検出候補６を優先的に選択する。
【００４４】
図７は、本開示の各実施例を実現する端末装置のハードウェア概略構成図である。該端末装置７００は、無線周波数ユニット７０１、ネットワークモジュール７０２、オーディオ出力ユニット７０３、入力ユニット７０４、センサ７０５、表示ユニット７０６、ユーザ入力ユニット７０７、インタフェースユニット７０８、メモリ７０９、プロセッサ７１０及び電源７１１等の部品を含むが、これらに限定されない。当業者が理解できるように、図７に示す端末装置の構造は、端末装置を限定するものではなく、端末装置は、図示より多いか又は少ない部品を含んでよく、ある部品と組み合わせたり、異なる部品配置を有したりしてよい。本開示の実施例では、端末装置は、携帯電話、タブレットコンピュータ、ノートパソコン、パームトップコンピュータ、車載端末、ウェアラブルデバイス及び歩数計等を含むが、これらに限定されない。
【００４５】
プロセッサ７１０は、
端末装置の目標単位サーチスペースに必要なチャネル推定数が、第１のチャネル推定数を超える場合には、該目標単位サーチスペースに対応するチャネル推定数を再割り当てし、第１のチャネル推定数は、ネットワーク側装置が該目標単位サーチスペースに配置したチャネル推定数又は端末装置がサポートしている最大チャネル推定数であり、再割り当てを行った後、目標単位サーチスペースの第２のチャネル推定数の和は、該第１のチャネル推定数以下である。
【００４６】
なお、本開示の実施例では、無線周波数ユニット７０１は、情報の送受信、又は通話中の信号の送受信に用いられてよく、具体的には、基地局からのダウンリンクデータを受信した後、プロセッサ７１０に処理させ、また、アップリンクデータを基地局に送信する。一般的に、無線周波数ユニット７０１は、アンテナ、少なくとも１つの増幅器、送受信機、カプラ、低雑音増幅器、デュプレクサ等を含むが、これらに限定されない。また、無線周波数ユニット７０１は、無線通信システムによりネットワーク及び他の装置と通信してよい。
【００４７】
端末装置は、ネットワークモジュール７０２によりユーザに無線のブロードバンドインターネットアクセスを提供して、例えば、ユーザの電子メールの送受信、ウェブの閲覧及びストリーミングメディアのアクセス等を助ける。
【００４８】
オーディオ出力ユニット７０３は、無線周波数ユニット７０１又はネットワークモジュール７０２によって受信される、又はメモリ７０９に記憶されるオーディオデータをオーディオ信号に変換して音声として出力することができる。また、オーディオ出力ユニット７０３は、さらに端末装置７００によって実行される特定の機能に関連するオーディオ出力（例えば、呼び出し着信音、メッセージ着信音等）を提供することができる。オーディオ出力ユニット７０３は、スピーカー、ブザー及びレシーバー等を含む。
【００４９】
入力ユニット７０４は、オーディオ又はビデオ信号を受信する。入力ユニット７０４は、グラフィック処理ユニット（Ｇｒａｐｈｉｃｓ  Ｐｒｏｃｅｓｓｉｎｇ  Ｕｎｉｔ、ＧＰＵ）７０４１及びマイクロフォン７０４２を含んでよく、グラフィック処理ユニット７０４１は、動画撮影モード又は撮影モードで撮影装置（例えば、カメラ）によって取得された静止画像又はビデオの画像データを処理する。処理後の画像フレームは、表示ユニット７０６に表示されてよい。グラフィック処理ユニット７０４１によって処理された画像フレームは、メモリ７０９（又は他の記憶媒体）に記憶されてもよく、無線周波数ユニット７０１又はネットワークモジュール７０２により送信されてもよい。マイクロフォン７０４２は、音声を受信し、かつこのような音声をオーディオデータに処理することができる。処理後のオーディオデータは、電話通話モードの場合に無線周波数ユニット７０１により移動通信基地局に送信できるフォーマットに変換されて出力されてよい。
【００５０】
端末装置７００は、光センサ、動きセンサ及び他のセンサ等のような少なくとも１種のセンサ７０５をさらに含む。具体的には、光センサは、環境光線の明るさに応じて表示パネル７０６１の輝度を調節することができる環境光センサと、端末装置７００が耳元に移動するときに、表示パネル７０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末装置姿勢の識別（例えば、縦向きと横向きの切替、ゲーム関連、磁力計の姿勢較正）、振動識別に関連する機能（例えば、歩数計、タッピング）等に用いられてよく、センサ７０５は、指紋センサ、圧力センサ、虹彩センサ、分子センサ、ジャイロスコープ、気圧計、湿度計、温度計、赤外線センサ等をさらに含んでよく、ここでは説明を省略する。
【００５１】
表示ユニット７０６は、ユーザにより入力された情報又はユーザに提供した情報を表示する。表示ユニット７０６は、表示パネル７０６１を含んでよい。液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形式で表示パネル７０６１を配置してよい。
【００５２】
ユーザ入力ユニット７０７は、入力された数字又は文字情報を受信すると共に、端末装置のユーザ設定及び機能制御に関連するキー信号入力を生成することができる。具体的には、ユーザ入力ユニット７０７は、タッチパネル７０７１及び他の入力装置７０７２を含む。タッチパネル７０７１は、タッチスクリーンとも呼ばれ、その上又はその近くでのユーザのタッチ操作（例えば、指、スタイラスペン等の任意の適切な物体又は付属品を用いるタッチパネル７０７１上又はタッチパネル７０７１の近くでのユーザの操作）を収集することができる。タッチパネル７０７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ７１０に送信し、プロセッサ７１０からの命令を受信して実行する。また、抵抗式、容量式、赤外線式及び表面弾性波式等の複数のタイプでタッチパネル７０７１を実現することができる。タッチパネル７０７１に加えて、ユーザ入力ユニット７０７は、他の入力装置７０７２をさらに含んでよい。具体的には、他の入力装置７０７２は、物理キーボード、機能キー（例えば、ボリューム調節キー、スイッチキー等）、トラックボール、マウス、及び操作レバーを含むが、これらに限定されず、ここでは説明を省略する。
【００５３】
さらに、タッチパネル７０７１は、表示パネル７０６１にカバーされてよく、タッチパネル７０７１がその上又はその近くでのタッチ操作を検出した後、プロセッサ７１０に伝送してタッチイベントのタイプを決定し、その後に、プロセッサ７１０は、タッチイベントのタイプに応じて表示パネル７０６１において対応する視覚的出力を提供する。図７において、タッチパネル７０７１と表示パネル７０６１は２つの独立した部品として端末装置の入力と出力機能を実現するが、いくつかの実施例では、タッチパネル７０７１と表示パネル７０６１を一体化して端末装置の入力と出力機能を実現することができ、ここで限定しない。
【００５４】
インタフェースユニット７０８は、外部装置と端末装置７００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポート等を含んでよい。インタフェースユニット７０８は、外部装置からの入力（例えば、データ情報、電力等）を受信すると共に、受信した入力を端末装置７００内の１つ又は複数の素子に伝送するか又は端末装置７００と外部装置の間のデータを伝送することができる。
【００５５】
メモリ７０９は、ソフトウェアプログラム及び様々なデータを記憶することができる。メモリ７０９は、主に、オペレーティングシステム、少なくとも１つの機能に必要なアプリケーションプログラム（例えば、音声再生機能、画像再生機能等）等を記憶することができるプログラム記憶領域と、携帯電話の使用に応じて作成されたデータ（例えば、オーディオデータ、電話帳等）等を記憶することができるデータ記憶領域を含んでよい。また、メモリ７０９は、高速ランダムアクセスメモリを含んでもよく、不揮発性メモリ、例えば少なくとも１つの磁気ディスクメモリ素子、フラッシュメモリ素子又は他の揮発性固体メモリ素子等を含んでもよい。
【００５６】
プロセッサ７１０は、端末装置の制御センターであり、様々なインタフェースと回線により端末装置全体の各部分に接続され、メモリ７０９に記憶されたソフトウェアプログラム及び／又はモジュールを動作させるか又は実行し、かつメモリ７０９に記憶されたデータを呼び出し、端末装置の様々な機能とデータ処理を実行することにより、端末装置全体を監視する。プロセッサ７１０は、１つ以上の処理ユニットを含んでよく、好ましくは、プロセッサ７１０は、主にオペレーティングシステム、ユーザインタフェース及びアプリケーションプログラム等を処理するアプリケーションプロセッサと、主に無線通信を処理するモデムプロセッサとを集積することができる。上記モデムプロセッサは、プロセッサ７１０内に集積されなくてもよいと理解されたい。
【００５７】
端末装置７００は、各部品に給電する電源７１１（例えば、電池）をさらに含んでよく、好ましくは、電源７１１は、電源管理システムによりプロセッサ７１０と論理的に接続されて、電源管理システムにより充電、放電の管理及び消費電力の管理等の機能を実現することができる。
【００５８】
また、端末装置７００は、いくつかの未図示の機能モジュールを含み、ここでは説明を省略する。
【００５９】
好ましくは、本開示の実施例は、プロセッサ７１０と、メモリ７０９と、メモリ７０９に記憶されて前記プロセッサ７１０上で動作可能で、プロセッサ７１０によって実行されると、上記図１又は図４の方法の実施例の各プロセスを実現し、かつ同じ技術的効果を達成することができるコンピュータプログラムとを含む、端末装置をさらに提供し、重複を避けるために、ここでは説明を省略する。
【００６０】
本開示の実施例は、プロセッサによって実行されると、上記図１又は図４の方法の実施例の各プロセスを実現し、かつ同じ技術的効果を達成することができるコンピュータプログラムが記憶されているコンピュータ読み取り可能な記憶媒体をさらに提供し、重複を避けるために、ここでは説明を省略する。上記コンピュータ読み取り可能な記憶媒体は、読み取り専用メモリ（Ｒｅａｄ  Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスク又は光ディスク等であってよい。
【００６１】
なお、本明細書において、用語「含む」、「含有」その如何なる他の変形は、非排他的な包含をカバーすることを意図することにより、一連の要素を含むプロセス、方法、物品又は装置は、それらの要素を含むだけでなく明確に例示されていない他の要素をさらに含むか、又はこれらのプロセス、方法、物品又は装置に固有の要素をさらに含む。より多くの限定がない場合に、語句「１つ・・・を含む」により限定された要素は、該要素を含むプロセス、方法、物品又は装置にさらに別の同一の要素が存在することを排除するものではない。
【００６２】
以上の実施形態の説明により、当業者は、上記実施例の方法がソフトウェアと必要な汎用ハードウェアプラットフォームを併用した方法で実現でき、当然のことながらハードウェアでも実現できるが、多くの場合に前者がより好ましい実施形態であることを明確に理解することができる。このような理解に基づいて、本開示の技術手段は、本質的又は従来技術に寄与する部分がソフトウェア製品の形態で具現化されてもよく、該コンピュータソフトウェア製品は、記憶媒体（例えば、ＲＯＭ／ＲＡＭ、磁気ディスク、光ディスク）内に記憶され、一台の端末（携帯電話、コンピュータ、サーバ、エアコン又はネットワーク装置等であってもよい）に本開示の各実施例に記載の方法を実行させるための複数の命令を含む。
【００６３】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば本開示の示唆で、本開示の趣旨及び特許請求の範囲の保護範囲から逸脱せずに多くの形式を行うことができ、これらは、いずれも本開示の保護範囲内に属する。
【００６４】
なお、本開示の実施例では、該目標単位サーチスペースは、１つのサーチスペースを含んでよく、或いは、該目標単位サーチスペースは、複数のサーチスペースを含む１つのサーチスペース群を含んでよく、或いは、該目標単位サーチスペースは、１つのＣＯＲＥＳＥＴに関連付けられた全てのサーチスペースを含んでよい。
【００６５】
図３は、本開示の一実施例に係る端末装置３００の概略構成図である。図３に示すように、端末装置３００は、
端末装置の目標単位サーチスペースに必要なチャネル推定数が、第１のチャネル推定数を超える場合には、該目標単位サーチスペースに対応するチャネル推定数を再割り当てする再割り当てモジュール３１０を含んでよく、
第１のチャネル推定数は、ネットワーク側装置が該目標単位サーチスペースに配置したチャネル推定数又は該端末装置が目標単位サーチスペースに対して該割り当てを行って得られたチャネル推定数であり、
再割り当てを行った後、目標単位サーチスペースの第２のチャネル推定数の和は、該第１のチャネル推定数以下である。
【００６６】
さらに、該再割り当てモジュール３１０は、具体的には、
所定パラメータに基づいて、該目標単位サーチスペースに対応するチャネル推定数を再割り当てし、
該所定パラメータは、
ＰＤＣＣＨ候補のアグリゲーションレベル、ＰＤＣＣＨ候補のスケジューリングタイプ、ＰＤＣＣＨ候補のサービスタイプ、スケジューリングされるセル又はキャリアタイプ、スケジューリングされるセル又はキャリアのサブキャリア間隔、サーチスペースにおけるＰＤＣＣＨ候補によって搬送されるＤＣＩフォーマット、サーチスペースのＰＤＣＣＨ候補数のうちの少なくとも１つを含む。
【００６７】
図４は、本開示の一実施例に係る再割り当てモジュールの概略構成図である。好ましくは、いくつかの実施例では、端末装置３００の再割り当てモジュール３１０は、図４に示すように、
該所定パラメータに基づいて、該目標単位サーチスペースのＰＤＣＣＨ候補に対して優先順位付けを行う第１の順位付けサブモジュール３１１と、
該目標単位サーチスペースのチャネル推定数が該第１のチャネル推定数以下となるまで、優先順位が低いＰＤＣＣＨ候補を廃棄する第１の割り当てサブモジュール３１２とを含む。
【００６８】
図５は、本開示の別の実施例に係る再割り当てモジュールの概略構成図である。好ましくは、いくつかの実施例では、端末装置３００の再割り当てモジュール３１０は、図４に示すように、
アグリゲーションレベルに応じて、該目標単位サーチスペースのＰＤＣＣＨ候補を複数のＰＤＣＣＨ候補セットに分割する分割サブモジュール３１３と、
ＰＤＣＣＨ候補に対応する制御チャネル要素ＣＣＥ番号に基づいて、各ＰＤＣＣＨ候補セットにおけるＰＤＣＣＨ候補の廃棄順序を決定する第１の決定サブモジュール３１４と、
該目標単位サーチスペースのチャネル推定数が該第１のチャネル推定数以下となるまで、複数のＰＤＣＣＨ候補セットをポーリングする方式で、複数のＰＤＣＣＨ候補セットから、廃棄順位が高いＰＤＣＣＨ候補を１つずつ廃棄する第２の割り当てサブモジュール３１５と、を含む。
【００６９】
図６は、本開示のさらなる実施例に係る再割り当てモジュールの概略構成図である。好ましくは、いくつかの実施例では、端末装置３００の再割り当てモジュール３１０は、図４に示すように、
該目標単位サーチスペースにおけるアグリゲーションレベル毎のＰＤＣＣＨ候補に対応するＣＣＥを決定する第２の決定サブモジュール３１６と、
第１のタイプのＰＤＣＣＨ候補に対応するＣＣＥが該目標単位サーチスペースに関連付けられた制御リソースセットＣＯＲＥＳＥＴにおける他のＰＤＣＣＨ候補に対応するＣＣＥと重ならず、第２のタイプのＰＤＣＣＨ候補がより低いアグリゲーションレベルのＰＤＣＣＨ候補とＣＣＥを共有し、第３のタイプのＰＤＣＣＨ候補がより高いグリゲーションレベルのＰＤＣＣＨ候補とＣＣＥを共有するように、該目標単位サーチスペースにおけるアグリゲーションレベル毎のＰＤＣＣＨ候補を分類する分類サブモジュール３１７と、
該目標単位サーチスペースにおける各ＰＤＣＣＨ候補の等価チャネル推定数を決定し、かつ該目標単位サーチスペースが実際に必要とするチャネル推定数から該第１のチャネル推定数を減算するサポート超過チャネル推定数を決定する第３の決定サブモジュール３１８と、
該目標単位サーチスペースの第１のタイプ又は第２のタイプのＰＤＣＣＨ候補から目標ＰＤＣＣＨ候補を選択し廃棄する第３の割り当てサブモジュール３１９と、
該サポート超過チャネル推定数から該目標ＰＤＣＣＨ候補に対応する等価チャネル推定数を減算して、調整後の該サポート超過チャネル推定数とする調整サブモジュール３２０と、
サポート超過チャネル推定数がゼロ以下となるまで、第４の決定サブモジュール、第５の割り当てサブモジュール及び調整サブモジュールを繰り返して呼び出して、サポート超過チャネル推定数を調整する第４の割り当てサブモジュール３２１と、を含む。
【００７０】
さらに、第３の決定サブモジュール３１８は、具体的には、
第１のタイプの第１のＰＤＣＣＨ候補のアグリゲーションレベルを該第１のＰＤＣＣＨ候補の等価チャネル推定数と決定し、
第２のタイプの第２のＰＤＣＣＨ候補に割り当てられるＣＣＥのうち、該目標単位サーチスペースに関連付けられたＣＯＲＥＳＥＴの他のＰＤＣＣＨ候補と重ならないＣＣＥ数を該第２のＰＤＣＣＨ候補の等価チャネル推定数と決定し、
第３のタイプの第３のＰＤＣＣＨ候補の等価チャネル推定数を０と決定する。
【００７１】
好ましくは、該目標単位サーチスペースは、１つのサーチスペースを含み、或いは、該目標単位サーチスペースは、複数のサーチスペースを含む１つのサーチスペース群を含み、或いは、該目標単位サーチスペースは、１つのＣＯＲＥＳＥＴに関連付けられた全てのサーチスペースを含む。
【００７２】
端末装置３００は、図１に示される実施例における端末装置又はＵＥによって実行される方法をさらに実行でき、具体的な実現について、図１に示される実施例を参照することができ、本開示の実施例はここで説明を省略する。
【００７３】
なお、本明細書において、用語「含む」、「含有」又はその如何なる他の変形は、非排他的な包含をカバーすることを意図することにより、一連の要素を含むプロセス、方法、物品又は装置は、それらの要素を含むだけでなく、明確に例示されていない他の要素をさらに含むか、又はこれらのプロセス、方法、物品又は装置に固有の要素をさらに含む。より多くの限定がない場合に、語句「１つ・・・を含む」により限定された要素は、該要素を含むプロセス、方法、物品又は装置にさらに別の同一の要素が存在することを排除するものではない。
【００７４】
以上の実施形態の説明により、当業者は、上記実施例の方法がソフトウェアと必要な汎用ハードウェアプラットフォームを併用した方法で実現でき、当然のことながらハードウェアでも実現できるが、多くの場合に前者がより好ましい実施形態であることを明確に理解することができる。このような理解に基づいて、本開示の技術手段は、本質的又は従来技術に寄与する部分がソフトウェア製品の形態で具現化されてもよく、該コンピュータソフトウェア製品は、記憶媒体（例えば、ＲＯＭ／ＲＡＭ、磁気ディスク、光ディスク）内に記憶され、一台の端末（携帯電話、コンピュータ、サーバ、エアコン又はネットワーク装置等であってもよい）に本開示の各実施例に記載の方法を実行させるための複数の命令を含む。
【００７５】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば本開示の示唆で、本開示の趣旨及び特許請求の範囲の保護範囲から逸脱せずに多くの形式を行うことができ、これらは、いずれも本開示の保護範囲内に属する。
【図１】
2021513298.tif 000003
【図２】
2021513298.tif 000004
【図３】
2021513298.tif 000005
【図４】
2021513298.tif 000006
【図５】
2021513298.tif 000007
【図６】
2021513298.tif 000008
【図７】
2021513298.tif 000009
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
端末装置の目標単位サーチスペースに必要なチャネル推定数が、第１のチャネル推定数を超える場合には、前記目標単位サーチスペースに対応するチャネル推定数を再割り当てることを含み、
第１のチャネル推定数は、ネットワーク側装置が前記目標単位サーチスペースに配置したチャネル推定数又は端末装置がサポートしている最大チャネル推定数であり、再割り当てを行った後、目標単位サーチスペースの第２のチャネル推定数の和は、前記第１のチャネル推定数以下である、サーチスペースにおけるチャネル推定数の割り当て方法。
【請求項２】
前記目標単位サーチスペースに対応するチャネル推定数を再割り当てることは、
所定パラメータに基づいて前記目標単位サーチスペースに対応するチャネル推定数を再割り当てることを含み、
前記所定パラメータは、
ＰＤＣＣＨ候補のアグリゲーションレベル、ＰＤＣＣＨ候補のスケジューリングタイプ、ＰＤＣＣＨ候補のサービスタイプ、スケジューリングされるセル又はキャリアタイプ、スケジューリングされるセル又はキャリアのサブキャリア間隔、サーチスペースにおけるＰＤＣＣＨ候補によって搬送されるＤＣＩフォーマット、サーチスペースのＰＤＣＣＨ候補数のうちの少なくとも１つを含む、請求項１に記載のサーチスペースにおけるチャネル推定数の割り当て方法。
【請求項３】
所定パラメータに基づいて前記目標単位サーチスペースに対応するチャネル推定数を再割り当てることは、
前記所定パラメータに基づいて、前記目標単位サーチスペースのＰＤＣＣＨ候補に対して優先順位付けを行うことと、
前記目標単位サーチスペースのチャネル推定数が前記第１のチャネル推定数以下となるまで、優先順位が低いＰＤＣＣＨ候補を廃棄することとを含む、請求項２に記載のサーチスペースにおけるチャネル推定数の割り当て方法。
【請求項４】
所定パラメータに基づいて前記目標単位サーチスペースに対応するチャネル推定数を再割り当てることは、
アグリゲーションレベルに応じて、前記目標単位サーチスペースのＰＤＣＣＨ候補を複数のＰＤＣＣＨ候補セットに分割することと、
ＰＤＣＣＨ候補に対応するＣＣＥ番号に基づいて、各ＰＤＣＣＨ候補セットにおけるＰＤＣＣＨ候補の廃棄順序を決定することと、
前記目標単位サーチスペースのチャネル推定数が前記第１のチャネル推定数以下となるまで、複数のＰＤＣＣＨ候補セットをポーリングする方式で、複数のＰＤＣＣＨ候補セットから、廃棄順位が高いＰＤＣＣＨ候補を１つずつ廃棄することと、を含む、請求項１に記載のサーチスペースにおけるチャネル推定数の割り当て方法。
【請求項５】
前記目標単位サーチスペースに対応するチャネル推定数を再割り当てることは、
前記目標単位サーチスペースにおけるアグリゲーションレベル毎のＰＤＣＣＨ候補に対応するＣＣＥを決定することと、
第１のタイプのＰＤＣＣＨ候補に対応するＣＣＥが前記目標単位サーチスペースに関連付けられた制御リソースセットＣＯＲＥＳＥＴにおける他のＰＤＣＣＨ候補に対応するＣＣＥと重ならず、第２のタイプのＰＤＣＣＨ候補がより低いアグリゲーションレベルのＰＤＣＣＨ候補とＣＣＥを共有し、第３のタイプのＰＤＣＣＨ候補がより高いグリゲーションレベルのＰＤＣＣＨ候補とＣＣＥを共有するように、前記目標単位サーチスペースにおけるアグリゲーションレベル毎のＰＤＣＣＨ候補を分類することと、
サポート超過チャネル推定数がゼロ以下となるまで、
前記目標単位サーチスペースにおける各ＰＤＣＣＨ候補の等価チャネル推定数を決定し、かつ前記目標単位サーチスペースが実際に必要とするチャネル推定数から前記第１のチャネル推定数を減算するサポート超過チャネル推定数を決定するステップと、
前記目標単位サーチスペースの第１のタイプ又は第２のタイプのＰＤＣＣＨ候補から目標ＰＤＣＣＨ候補を選択し廃棄するステップと、
前記サポート超過チャネル推定数から前記目標ＰＤＣＣＨ候補に対応する等価チャネル推定数を減算して、調整後の前記サポート超過チャネル推定数とするステップと、を繰り返し実行することにより、サポート超過チャネル推定数を調整することと、を含む、請求項２に記載のサーチスペースにおけるチャネル推定数の割り当て方法。
【請求項６】
前記目標単位サーチスペースにおける各ＰＤＣＣＨ候補の等価チャネル推定数を決定することは、
第１のタイプの第１のＰＤＣＣＨ候補のアグリゲーションレベルを前記第１のＰＤＣＣＨ候補の等価チャネル推定数と決定することと、
第２のタイプの第２のＰＤＣＣＨ候補に割り当てられるＣＣＥのうち、前記目標単位サーチスペースに関連付けられたＣＯＲＥＳＥＴの他のＰＤＣＣＨ候補と重ならないＣＣＥ数を前記第２のＰＤＣＣＨ候補の等価チャネル推定数と決定することと、
第３のタイプの第３のＰＤＣＣＨ候補の等価チャネル推定数を０と決定することと、を含む、請求項５に記載のサーチスペースにおけるチャネル推定数の割り当て方法。
【請求項７】
前記目標単位サーチスペースは、１つのサーチスペースを含み、或いは、
前記目標単位サーチスペースは、複数のサーチスペースを含む１つのサーチスペース群を含み、或いは、
前記目標単位サーチスペースは、１つのＣＯＲＥＳＥＴに関連付けられた全てのサーチスペースを含む、請求項１〜６のいずれか１項に記載のサーチスペースにおけるチャネル推定数の割り当て方法。
【請求項８】
端末装置の目標単位サーチスペースに必要なチャネル推定数が、第１のチャネル推定数を超える場合には、前記目標単位サーチスペースに対応するチャネル推定数を再割り当てる再割り当てモジュールを含み、
第１のチャネル推定数は、ネットワーク側装置が前記目標単位サーチスペースに配置したチャネル推定数又は端末装置がサポートしている最大チャネル推定数であり、
再割り当てを行った後、目標単位サーチスペースの第２のチャネル推定数の和は、前記第１のチャネル推定数以下である、端末装置。
【請求項９】
前記再割り当てモジュールは、
所定パラメータに基づいて前記目標単位サーチスペースに対応するチャネル推定数を再割り当て、
前記所定パラメータは、
ＰＤＣＣＨ候補のアグリゲーションレベル、ＰＤＣＣＨ候補のスケジューリングタイプ、ＰＤＣＣＨ候補のサービスタイプ、スケジューリングされるセル又はキャリアタイプ、スケジューリングされるセル又はキャリアのサブキャリア間隔、サーチスペースにおけるＰＤＣＣＨ候補によって搬送されるＤＣＩフォーマット、サーチスペースのＰＤＣＣＨ候補数のうちの少なくとも１つを含む、請求項８に記載の端末装置。
【請求項１０】
前記再割り当てモジュールは、
前記所定パラメータに基づいて、前記目標単位サーチスペースのＰＤＣＣＨ候補に対して優先順位付けを行う第１の順位付けサブモジュールと、
前記目標単位サーチスペースのチャネル推定数が前記第１のチャネル推定数以下となるまで、優先順位が低いＰＤＣＣＨ候補を廃棄する第１の割り当てサブモジュールとを含む、請求項９に記載の端末装置。
【請求項１１】
前記再割り当てモジュールは、
アグリゲーションレベルに応じて、前記目標単位サーチスペースのＰＤＣＣＨ候補を複数のＰＤＣＣＨ候補セットに分割する分割サブモジュールと、
ＰＤＣＣＨ候補に対応する制御チャネル要素ＣＣＥ番号に基づいて、各ＰＤＣＣＨ候補セットにおけるＰＤＣＣＨ候補の廃棄順序を決定する第１の決定サブモジュールと、
前記目標単位サーチスペースのチャネル推定数が前記第１のチャネル推定数以下となるまで、複数のＰＤＣＣＨ候補セットをポーリングする方式で、複数のＰＤＣＣＨ候補セットから、廃棄順位が高いＰＤＣＣＨ候補を１つずつ廃棄する再割り当てサブモジュールと、を含む、請求項８に記載の端末装置。
【請求項１２】
前記再割り当てモジュールは、
前記目標単位サーチスペースにおけるアグリゲーションレベル毎のＰＤＣＣＨ候補に対応するＣＣＥを決定する第２の決定サブモジュールと、
第１のタイプのＰＤＣＣＨ候補に対応するＣＣＥが前記目標単位サーチスペースに関連付けられた制御リソースセットＣＯＲＥＳＥＴにおける他のＰＤＣＣＨ候補に対応するＣＣＥと重ならず、第２のタイプのＰＤＣＣＨ候補がより低いアグリゲーションレベルのＰＤＣＣＨ候補とＣＣＥを共有し、第３のタイプのＰＤＣＣＨ候補がより高いグリゲーションレベルのＰＤＣＣＨ候補とＣＣＥを共有するように、前記目標単位サーチスペースにおけるアグリゲーションレベル毎のＰＤＣＣＨ候補を分類する分類サブモジュールと、
前記目標単位サーチスペースにおける各ＰＤＣＣＨ候補の等価チャネル推定数を決定し、かつ前記目標単位サーチスペースが実際に必要とするチャネル推定数から前記第１のチャネル推定数を減算するサポート超過チャネル推定数を決定する第３の決定サブモジュールと、
前記目標単位サーチスペースの第１のタイプ又は第２のタイプのＰＤＣＣＨ候補から目標ＰＤＣＣＨ候補を選択し廃棄する再割り当てサブモジュールと、
前記サポート超過チャネル推定数から前記目標ＰＤＣＣＨ候補に対応する等価チャネル推定数を減算して、調整後の前記サポート超過チャネル推定数とする調整サブモジュールと、
サポート超過チャネル推定数がゼロ以下となるまで、第３の決定サブモジュール、再割り当てサブモジュール及び調整サブモジュールを繰り返して呼び出して、サポート超過チャネル推定数を調整する第３の割り当てサブモジュールと、を含む、請求項８に記載の端末装置。
【請求項１３】
第３の決定サブモジュールは、
第１のタイプの第１のＰＤＣＣＨ候補のアグリゲーションレベルを前記第１のＰＤＣＣＨ候補の等価チャネル推定数と決定し、
第２のタイプの第２のＰＤＣＣＨ候補に割り当てられるＣＣＥのうち、前記目標単位サーチスペースに関連付けられたＣＯＲＥＳＥＴの他のＰＤＣＣＨ候補と重ならないＣＣＥ数を前記第２のＰＤＣＣＨ候補の等価チャネル推定数と決定し、
第３のタイプの第３のＰＤＣＣＨ候補の等価チャネル推定数を０と決定する、請求項１２に記載の端末装置。
【請求項１４】
前記目標単位サーチスペースは、１つのサーチスペースを含み、或いは、
前記目標単位サーチスペースは、複数のサーチスペースを含む１つのサーチスペース群を含み、或いは、
前記目標単位サーチスペースは、１つのＣＯＲＥＳＥＴに関連付けられた全てのサーチスペースを含む、請求項８〜１３のいずれか１項に記載の端末装置。
【請求項１５】
プロセッサによって実行されると、請求項１〜７のいずれか１項に記載のサーチスペースにおけるチャネル推定数の割り当て方法のステップを実現するプログラムが記憶されているコンピュータ読み取り可能な記憶媒体。
【国際調査報告】
2021513298.tif 000010
2021513298.tif 000011
2021513298.tif 000012
2021513298.tif 000013